Podtech/llm-jp-corpus-v4-ja_patent huggingface dataset:
(57)【要約】【課題】  全身の皮膚からの経皮吸収と吸引により水素ガス及び酸水素ガスを全身の細胞へと送る事によって、細胞にある悪玉活性酸素のヒドロキシラジカルを中和ができ、病の予防的効果、調整、癒し効果を有する。【解決手段】上記課題は、外部の水素ガス発生装置から水素ガス及び酸水素ガスを送り出し、水素ガス発生装置とベッドの間に連結させたホースを通じて、ベッド及び枕の中の空洞部へと水素ガス及び酸水素ガスを送り、ベッド及び枕の上面部に、複数の穴を開け、その全ての穴から水素ガスが上面へと出る様にし、水素原子は分子が小さく軽いため、上昇し体内を通過する特性を利用し、ベッドの上に寝る者の背面全体の皮膚から水素ガスを長時間に渡り、経皮吸収して全身の細胞へと水素を送る事が出来る。【選択図】図１
2017086839.tif 000002
【特許請求の範囲】
【請求項１】
外部の水素ガス発生装置から水素ガス及び酸水素ガスを送り出し、水素ガス発生装置とベッドの間に連結させたホースを通じて、ベッド及び枕の中の空洞部へと水素ガスを送り、ベッド及び枕の上面部に、複数の穴を開け、その全ての穴から水素ガス及び酸水素ガスが上面へと出る様にする事を特徴とする。
【請求項２】
外部の水素ガス発生装置から水素ガス及び酸水素ガスを送り出し、水素ガス発生装置から出ている連結ホースの先を取り換えた局部用の箱型容器［図３］［図４］［図５］の中の空洞部へと水素ガス及び酸水素ガスを送り、局部用の箱型容器の上面部に、複数の穴を開け、その全ての穴から水素ガス及び酸水素ガスが上面へと出る様にする事を特徴とする。
【請求項３】
外部の水素ガス発生装置から水素ガス及び酸水素ガスを送り出し、水素ガス発生装置と連結ホースの先を取り換えた吸引用のカニューレに水素ガス及び酸水素ガスを送り、吸引する事を特徴とする。
【発明の詳細な説明】
【技術分野】
【０００１】      本発明は、一定量の水素ガス及び酸水素ガスを長時間、寝ながら吸引及び人体の背面全体から経皮吸収させて、全身の細胞へと水素ガス及び酸水素ガスを送り、ミトコンドリア内の悪玉活性酸素ヒドロキシラジカルを中和し［特許文献２］治療及び癒し環境を有する健康ベッド装置に関するものである。
【背景技術】
【０００２】      水素ガスは人体に吸収されることにより、体内において発生した悪玉活性酸素、特に老化を促進したり各種の疾患の原因となったりする悪玉活性酸素を消去する等の機能があり［特許文献２］近年こうした水素ガス及び酸水素ガスの効能に注目が集まっている。【０００３】      そこで、従来、こうした水素ガス及び酸水素ガスを体内に吸収する為に、水素水、水素サプリメント、水素入浴剤、水素吸引機装置を使用する。
【先行技術文献】
【特許文献】
【０００４】
【特許文献１】特開２００２−３５０４２０
【特許文献２】特許出願２００７−５３１０５３
【発明の概要】
【発明が解決しようとする課題】
【０００５】      今までの技術では水素の吸収において、人体の水素受容体により必要以上の量は吸収されない、大量の水素を全身の細胞に送り吸収させる事は困難である。水素を長時間に渡り、一定量を全身の細胞に送る装置を開発することでこの問題を解決するものである。
【課題を解決するための手段】
【０００６】    上記課題は、外部の水素ガス発生装置から水素ガス及び酸水素ガスを送り出し、水素ガス発生装置とベッドの間に連結させたホースを通じて、ベッド及び枕の中の空洞部へと水素ガスを送り、ベッド及び枕の上面部に、複数の穴を開け、その全ての穴から水素ガス及び酸水素ガスが上面へと出る様にし、水素原子は分子が小さく軽いため、上昇し体内を通過する特性を利用し、ベッドの上に寝る者の背面全体の皮膚から水素ガスを長時間経皮吸収し全身の細胞へと水素を送る事が出来る。
【発明の効果】
【０００７】      本発明の水素吸収方法並びに装置を用いることにより、安全で且つ簡便で安価に水素ガス及び酸水素ガスを全身の細胞へと送る事が出来、また水素ガス及び酸水素ガスを局部用の箱型容器［図３］［図４］［図５］に連結ホースの先を取り換えて、局部の細胞に送り、連結ホースの先をカニューレに取り換えて吸引する事が出来る、そのために一般の家庭に於いても利用できるために多くの人の健康の促進に役立つものと期待される。
【図面の簡単な説明】
【０００８】
【図１】本発明の要部を断面とした側面図である。
【図２】本発明の上面図である。
【図３】本発明の斜視図である。
【図４】本発明の局部用の箱型容器の側面図である。
【図５】本発明の局部用の箱型容器の上面図である。
【図６】本発明の局部用の箱型容器の斜面図である。
【符号の説明】
【０００９】１  水素ガス発生機
２  連結チューブ
３  空洞部分
４  送風部
５  枕
【図１】
2017086839.tif 000003
【図２】
2017086839.tif 000004
【図３】
2017086839.tif 000005
【図４】
2017086839.tif 000006
【図５】
2017086839.tif 000007
【図６】
2017086839.tif 000008
(57)【要約】      （修正有）【課題】熱収縮シートを使用したパズルを提供する。【解決手段】熱収縮シートに絵や文字を描き、そのシートをはさみで複数のピースに切り分け、オーブントースターで加熱収縮させると、大きさが変化するパズルである。１ｍｍ以下のシートや紙では組み合わせたピースは重なりあい、くずれて固定しないが、熱収縮シートではピースの面積が数分の一になっても、体積は変らないため、ピースの厚みが数倍となり、従来のパズルのように組み合わせたピースは互いに支えあって固定する。元のシートが数分の一の大きさに変化するパズル。【選択図】図５
2017086831.tif 000002
【特許請求の範囲】
【請求項１】
たてよこに熱収縮するプラスチックシートを使用して絵や文字を描き、または印刷した絵柄のシートをいくつかのピースに切り分けて加熱すると、絵柄を維持したままピースは収縮し、それらのピースを組み合わせて絵柄を完成させると、元のシートの数分の一の大きさとなるパズル。
【発明の詳細な説明】
【技術分野】  本発明のパズルは、絵案を施した熱収縮シートを切り分け、個々のピースをオーブントースターなどで加熱し、収縮し厚みがでたピースを組み合わせて完成させる。パズルは元のシートの数分の一の大きさになる。
【発明の概要】
【発明の効果】  従来のパズルは、組み合わされたパズルを取り崩し、再び複数のピースを組み合わせて元に戻すものであるが、本発明のパズルは、図案化と加工と、収縮した複数のピースを組み合わせて完成させる、三つの内容を含んでいる。創作力と加工、および娯楽をとおして一貫した物づくりの楽しさが体験できるパズルである。
【図面の簡単な説明】
【図１】熱収縮シートに絵柄を描いた斜視図。
【図２】シートをハサミで切り分けた斜視図。
【図３】切り分けた複数のピースの斜視図。
【図４】加熱して収縮し厚みが増した複数のピースの斜視図。
【図５】ピースを組み合わせて絵柄が完成したパズルの斜視図。
【図１】
2017086831.tif 000003
【図２】
2017086831.tif 000004
【図３】
2017086831.tif 000005
【図４】
2017086831.tif 000006
【図５】
2017086831.tif 000007
(57)【要約】【課題】本発明は、どのような環境でも場所を取らないで、ティッシュ箱を身近に置くことができるティッシュ箱簡易吊下げ具を提供する。【解決手段】軽量で硬い針金を用い、ティッシュ箱底受け部（３）はティッシュ箱と同じ幅にし、高さ部（１）と保持高さ部（４）、及び、長手方向ずれ防止部（８）で挟むようにティッシュ箱をセットし、斜形支え部（５）と吊下げ部（６）によって吊下げるが、吊下げ部（６）は頂点部（６ａ）で重心とするため、底受け部（３）の中心にくるように斜形部（５）を調整し半球状に曲げ、いろいろな所に容易にティッシュ箱を吊下げたり、引っ掛けたりできるティッシュ箱簡易吊下げ具。【選択図】図２
2017086838.tif 000002
【特許請求の範囲】
【請求項１】
軽量で硬い針金を用い、ティッシュ箱底受け部はティッシュ箱と同じ幅にし、高さ部と保持高さ部で挟むようにティッシュ箱をセットし、斜形支え部と吊下げ部によって吊下げるが、吊下げ部は頂点部で重心とするため、底受け部の中心にくるように斜形部を調整し半球状に曲げ、よって、いろいろな所に容易にティッシュ箱を吊下げたり、引っ掛けたりすることができるティッシュ箱簡易吊下げ具。
【発明の詳細な説明】
【技術分野】
【０００１】  本発明は、どのような環境でも場所を取らないで、ティッシュ箱を身近に置くことができるティッシュ箱簡易吊下げ具に関するものである。
【背景技術】
【０００２】  従来は、ティッシュ箱に吊下げ用治具を上面と側面に通して吊るしたり、ティッシュ箱に左右対になる吊下げ部材を取り付け、両端を紐で吊り下げていた。
また、単に机やテーブルの上に置いたり、一定箇所に貼り付けたり固定されていた。
【先行技術文献】
【特許文献】
【０００３】
【特許文献１】  特開２０１２−１７１６４２号広報
【特許文献２】  特開２００２−２６３０３１号広報
【特許文献３】  特開２０００−３２５２２１号広報
【特許文献４】  実開平５−４３９９５号広報
【発明の概要】
【発明が解決しようとする課題】
【０００４】  従来のティッシュ箱やティッシュケースは、机やテーブルの上に置くことが多く、ティッシュを使いたいとき近くに無かったり物の下になっていた。
また、一定箇所に貼り付け固定されていた。
従って、必要な時は探さなければならず。
また、手が届かなかったりした。
本発明は、以上の問題点を解決するためのティッシュ箱簡易吊下げ具である。
【課題を解決するための手段】
【０００５】  軽量で硬い針金を用い、ティッシュ箱底受け部をティッシュ箱と同じ幅にし、ティッシュ箱を吊下げる部分は頂点部を設け、重心を支えるように頂点部分の針金を曲げ、いろいろな所に容易にティッシュ箱を吊下げたり、引っ掛けたりすることができる。
以上の構成よりなるティッシュ箱簡易吊下げ具。
【発明の効果】
【０００６】  従来のティッシュ箱は、固定されているか置かれているようなことが多かったが、本発明は場所を選ばず吊るしたり、引っ掛けたりすることが可能なので、ティッシュの箱を身近に置いて使用することができる。
【図面の簡単な説明】
【０００７】
【図１】  本発明の斜視図である。
【図２】  本発明の使用状態を示した斜視図である。
【発明を実施するための形態】
【０００８】  以下、本発明の構造を説明する。
軽量で硬い針金を用い、ティッシュ箱高さ部（１）と保持横幅部（２）、底受け部（３）、保持高さ部（４）、斜形支え部（５）、吊下げ部（６）、そして、上補強部（７）で構成され、頂点部（６ａ）の上で半球状に曲げる。
頂点部（６ａ）は、下のティッシュ箱を載せる底受け部（３）の重心にくるように奥の保持高さ部（４）と斜形支え部（５）で繋がる。
よって、ティッシュ箱は水平に保たれる。
また、底受け部（３）に長手方向にずれることを防止するために設けたずれ防止部（８）で構成する。
本発明を使用するときは、底受け部（３）はティッシュ箱と同じ幅なので固定される。
吊下げ部（６）は余裕をもった曲げになっており、椅子の背凭れなどにも掛けられ、頂点部（６ａ）はティッシュ箱をセットした状態により重心になるので、幅の無いところへ掛ても水平になる。
従来のティッシュ箱の使用方法は、決まった場所に、それぞれ固定したり専用の取り付け方法を提供しているが、本発明は、其の決まった場所にほぼ固定するだけじゃなく自由な状態で身近に置くことができることを特徴とするティッシュ箱簡易吊り下げ具である。
【符号の説明】
【０００９】１、高さ部      ２、保持横幅部      ３、底受け部      ４、保持高さ部
５、斜形支え部      ６、吊下げ部      ６ａ、頂点部      ７、上補強部
８、長手方向ずれ防止部
【図１】
2017086838.tif 000003
【図２】
2017086838.tif 000004
(57)【要約】      （修正有）【課題】お湯を沸かす際の、やかん内の水蒸気をついでに利用して食品の温め・蒸し・解凍・保温・をすることによって、余分な電力消費を削減することができるやかん内部に設置する器具及びやかんを提供する。【解決手段】やかん本体９とフタ７の間に、底と側面が水蒸気を取り込むための網目状、もしくは小さな穴のあいた器具５を設け、やかん内部上方に設置したやかん内部に設置する器具及びやかん。【選択図】図１
2017086832.tif 000002
【特許請求の範囲】
【請求項１】
やかん本体とフタの間に、底と側面が水蒸気を取り込むための網目状もしくは小さな穴のあいた器具を設けやかん内部上方に設置する、やかん内部に設置する器具及びやかん。
【発明の詳細な説明】
【技術分野】
【０００１】  本発明は、食品の温め・解凍・保温及び蒸しの機能を具備した、やかん内部に設置する器具及びやかんに関するものである。
【背景技術】
【０００２】  従来、冷めてしまった食品を温める、又は解凍するためには、主に電子レンジが利用されている。また、特にご飯が冷めないように保温しておくものとしては、保温機能付き炊飯ジャーが利用されている。
また、食品を蒸すためには、蒸篭などが利用されている。
なお、やかんに蒸し機能を付加させたものとしては「やかんから噴出する水蒸気を利用した蒸篭」（特許文献１参照）がある。
【先行技術文献】
【特許文献】
【０００３】
【特許文献１】実登３０９９４５３公報
【発明の概要】
【発明が解決しようとする課題】
【０００４】  冷めてしまった食品を温める、又は解凍するためには、主に電子レンジが利用されている。しかし、余計な電力を消費してしまうほか、電子レンジの使用自体に健康面での危険性を指摘する意見もある。また、保温機能付き炊飯ジャーや蒸篭も同様に余分な電力を消費してしまう。
本発明は、以上の問題点を解決するためになされたものである。
【課題を解決するための手段】
【０００５】  やかん本体とフタの間に、底と側面が水蒸気を取り込むための網目状もしくは小さな穴のあいた器具を設け、やかん内部上方に設置する。
以上の構成よりなるやかん内部に設置する器具、及びやかん。
【発明の効果】
【０００６】  お湯を沸かす際の、やかん内の水蒸気をついでに利用して食品の温め・蒸し・解凍・保温・をすることによって、余分な電力消費を削減することができる。また、電子レンジを使わないことで、健康面での安全性も克服することができる。
また、やかん内部に器具が設置されているため保温効果が高く、やかんの火を消した後でも保温効果が期待できる。
【図面の簡単な説明】
【０００７】
【図１】本発明の断面図
【図２】本発明のやかん内部に設置する器具を上から見た要部拡大図
【図３】本発明のやかんのフタを横から見た要部拡大図
【本発明を実施するための形態】
【０００８】  以下、本発明の実施の形態を説明する。
（イ）  内部に設置する器具本体（５）にはつば（７）、および持ち手（４）を設ける。
（ロ）  やかんのフタ（２）にはくぼみ（３）を設ける。
本発明は以上のような構造である。
本発明を使用するときは、やかん本体（９）に水を入れ、温めたいもの等（６）を入れた内部に設置する器具本体（５）をやかん本体（９）のくち（１０）の上に載せ、フタ（２）をする。
このとき、やかん本体（９）にいれる水の量は、内部に設置する器具本体（５）の下部に接しない程度にとどめる。
火にかけると、内部に設置する器具本体（５）の網目状または小穴（８）から水蒸気が取り込まれ、温めたいもの等（６）が温まる。
お湯が沸き、火を止めてお湯を本来の目的（茶を入れる等）に使用した後も、温めたいもの等（６）をそのまま、やかん本体（９）内に設置しておけば、フタ（２）によって熱を逃さない構造になっているので、残ったお湯によって保温することができる。
内部に設置する器具本体（５）にはつば（７）がついており、やかん本体（９）のくち（１０）にひっかけて載せられる構造になっている。
やかん本体（９）のくち（１０）部分は、内部に設置する器具本体（５）に食品を入れやすいようある程度の大きさをもった構造になっている。
また、やかんのフタ（２）にはくぼみ（３）があり、内部に設置する器具本体（５）の持ち手（４）部分を交わしてフタ（２）をしっかり閉められ構造になっているので、熱を逃さない。
【符号の説明】
【０００９】  １  取手、２  フタ、３  くぼみ、４  持ち手（内部に設置する器具）、５  内部に設置する器具本体、６  温めたいもの等、７  つば、８  網目状または小穴、９  やかん本体、１０  くち、１１  持ち手（やかん）
【図１】
2017086832.tif 000003
【図２】
2017086832.tif 000004
【図３】
2017086832.tif 000005
(57)【要約】      （修正有）【課題】水切れ、通気性が良く、乾燥が早い箸用水切り籠を提供する。【解決手段】目の粗いステンレス製の本体の内向きに段違いに設けたフックと、等間隔の穴を開けたシリコンシートを斜めになるように取り付けた水切り部分とを備えた箸用水切り籠とすることで、水切れがよく、箸同士の接触を防止できるので、箸の乾燥が早く、箸を傷つけることがない。【選択図】図２
2017086833.tif 000002
【特許請求の範囲】
【請求項１】
目の粗いステンレス製の籠の中にシリコンゴムを取り付けた箸用水切り籠。
【発明の詳細な説明】
【技術分野】
【０００１】  この発明は、箸用水切り籠に関するものである。
従来品の水切り籠では乾燥が不十分で不衛生になりがちな箸の乾燥、衛生面の問題を解決できるものである。
【技術背景】
【０００２】  従来の箸類の水切り籠は、プラスチックやステンレス製で水切り部分の穴が小さく、全体の形は細長い構造である。そのため、中に入れる箸が多ければ多いほど密集し乾燥が妨げられる。しかし水切り部分の穴を大きくすれば箸が落下するという難点があった。
【発明の概要】
【発明が解決しようとする課題】
【０００３】  従来、箸用の水切り籠は箸の落下を防止するために水切り部分は目の細かいプラスチックやステンレスであることが多い。そのため通気性、水切れが悪く、接触面の乾燥に時間を要する。結果として木製製品のカビ発生や塗装の劣化を招きやすい。
本発明は、このような問題を解決するためになされたものである。
【課題を解決するための手段】
【０００４】  本体外側部分はステンレス製で、一般的な水切り籠に掛けられるように外向きにフックを２ヶ所作る。水切り部分のシリコンを取り付けるために内向きにフックを段違いに２つずつ２ヶ所作る。
水切り部分となる箸を刺す部分はシリコンの薄いシートを使用。等間隔にパンチサイズに穴を開ける。穴は正円でもデザイン性を重視して星形やハートでもよい。
ステンレス製の本体にシリコンシートを取り付ける。
以上の如く構成された、箸用水切り籠である。
【発明効果】
【０００５】  本案は次の数々の効果がある。
（イ）シリコン部分を斜めに取り付けることで水切れが良い。
（ロ）シリコンシートに等間隔に穴を開けることで箸同士の接触を防止できる。そのた        め箸の乾燥が早い。
（ハ）ソフトなシリコンを用いることで箸を傷つけることがない。
（ニ）シリコンの伸縮性が様々な形、サイズの箸、カトラリーに対応できる。
（ホ）籠部分は目が粗く汚れが付着しにくい。
【図面の簡単な説明】
【０００６】
【図１】〔第１図〕本発明の斜視図である。
【図２】〔第２図〕本発明の側面図である。
【発明を実施するための形態】
【０００７】  以下、本発明を実施するための形態を説明する。
（イ）本体外側部分は、一般的な水切り籠に掛けられるように外向きにフックを２ヶ所作る。水切り部分のシリコン（１）を取り付けるために内向きにフック（２〜５）を段違いに２つずつ２ヶ所作る。
（ロ）水切り部分となる箸を刺す部分はシリコンの薄いシートを使用。等間隔にパンチサイズに穴を開ける。穴は正円でもデザイン性を重視して星形やハートでもよい。
（ハ）ステンレス製の本体にシリコンシートを斜めになるように取り付ける。
本案は以上のような構造であるから、箸を立てる場合は箸先を下にして差し込む。スプーン、フォークは持ち手を下にして差し込む。
【符号の説明】
【０００８】  １      シリコン
２〜５  内向きフック
【図１】
2017086833.tif 000003
【図２】
2017086833.tif 000004
(57)【要約】      （修正有）【課題】カテーテル管使用時のトラブル（合併症）や挿入及び抜去時の大変な痛みも感じることなく、簡単で安心して使用できる女性用の装着型尿失禁防止器具を提供する。【解決手段】女性用の尿失禁防止器具は、軟質な合成樹脂でできたシート状本体１の鍔６に、蛇腹２にパイプ３と蓋を設けた一体式の構造となっている。鍔には、尿と空気が通る開口部を設け、パイプの先端には取り外し可能な蓋が取付けてあり、鍔の裏面には固定用伸縮皮膚保護テープを取付けて、女性の外性器に簡単に取付けられる。【選択図】図１
2017086835.tif 000002
【特許請求の範囲】
【請求項１】
本体は、軟質な合成樹脂でできたシート状の鍔と蛇腹状の筒体とパイプからなる一体式構造で、鍔の中央には尿と空気が通る開口部を設け、パイプの先端には取り外しが可能な蓋が取付けてあり、鍔の裏面には固定用伸縮皮膚保護テープを取付けた、一体式に構成された女性用装着型尿失禁防止器具。
【発明の詳細な説明】
【技術分野】
【０００１】  本発明は女性用の装着型尿失禁防止器具に関するものである。
【背景技術】
【０００２】  従来の女性用の尿失禁防止器具には、女性の尿道に挿入するカテーテル管や使い捨て紙おむつがある。尿道に挿入するカテーテル管は尿道と膀胱に挿入後、カテーテル管の先に蓄尿袋に接続するが、尿道にカテーテル管を留置したままにしておくと、尿路感染症等のトラブル（合併症）が起こる原因となることがある。カテーテル管の挿入及び抜去時には大変な痛みが生ずることもあり、使用者にとっては大きな負担となるのが現状である。また、使い捨ての紙おむつは取替えが１日５〜６回の交換が必要であるため、不経済でゴミも多量に発生し、廃棄処理が大変である。【０００３】
【発明の概要】
【発明が解決しようとする課題】
【０００４】  以上に述べた従来の女性用尿失禁防止器具の問題を解決するために、各メーカーとも開発に莫大な研究費と試作費を費やし研究をしてきたが、これまで解決（実現）しなかった。本発明はこうした使用者の強い要望に応えるために発明されたものである。
【課題を解決するための手段】
【０００５】  本発明は、上記目的を達成するために、軟質な合成樹脂でできたシート状の鍔と蛇腹状の筒体とパイプからなる一体式構造で、鍔の中央には尿と空気が通る開口部を設け、パイプの先端には取り外しが可能な蓋が取付けてあり、鍔の裏面には固定用伸縮皮膚保護テープを組み合わせた女性の外性器に装着する女性用装着型尿失禁防止器具である。
【発明の効果】
【０００６】  上述したように、本発明の女性用装着型尿失禁防止器具は、従来のようなカテーテル管の使用時のトラブル（合併症）もなく、カテーテル管の挿入及び抜去時の大変な痛みも感じることなく、簡単で安心して使用できる。また、使い捨て紙おむつの使用と比べても、廃棄処理しなければならないゴミの量も軽減され、省エネルギーにも効果が発揮できるものである。
【図面の簡単な説明】
【０００７】
【図１】本発明の実施形態を示す斜視図
【図２】本発明の実施形態を示す図３におけるＡ−Ａ線縦断面図
【図３】本発明の実施形態を示す正面図
【図４】本発明の実施形態を示す側面図
【図５】本発明の実施形態を示す蛇腹部を縮めた側面図
【図６】本発明の実施形態を示す鍔の裏面の側面図
【図７】本発明の実施形態を示す上から見た平面図
【図８】本発明の実施形態を示す蛇腹部を縮めて上から見た平面図
【図９】本発明の実施形態を示す女性の外性器に装着した図３Ａ−Ａ線縦断面図
【図１０】本発明の実施形態を示す女性の外性器に装着した図３Ａ−Ａ線の蛇腹を縮めた断面図
【図１１】本発明の実施形態を示す女性の外性器に装着した正面詳細図
【発明を実施するための形態】
【０００８】  以下本発明の実施を図１〜図１１に基づいて説明する。
【０００９】  図１は、本体１の斜視図であり、鍔６と蛇腹２及びパイプ３を組み合わせた一体式構造を表している。
【００１０】  図２は、鍔６の裏面に尿と空気が通る開口部を設け、鍔６の裏面に固定用伸縮皮膚保護テープ７を組み合わせた図３のＡ−Ａ線の断面図である。
【００１１】  図３は、正面から見た鍔６と蛇腹２とパイプ３を表した正面図である。
【００１２】  図４は、本体１の蛇腹２の収縮前の側面図である。
【００１３】  図５は、蛇腹２を女性の外性器に押圧した状態の側面図である。
【００１４】  図６は、鍔６を裏面から見た固定用伸縮皮膚保護テープ７と蛇腹２及びパイプ３の内側から見た側面図である。
【００１５】  図７は、本体１を上から見た鍔６と蛇腹２とパイプ３及びリム４を設けて組み合わせた一体式構造の平面図である。
【００１６】  図８は、鍔６と蛇腹２を収縮させた一体式構造の平面図である。
【００１７】  図９は、鍔６に密着させた固定用伸縮皮膚保護テープ７の上紙のシールを剥がし女性の外性器に装着した状態の図３Ａ−Ａの縦断面図である。
【００１８】  図１０は、鍔６に密着させた固定用伸縮皮膚保護テープ７の上紙のシールを剥がし女性の外性器に装着して蛇腹２を収縮して空気を尿道口１０に押圧して蓋５をした状態のＡ−Ａ線の縦断面図である。
【００１９】  図１１は、本体１の鍔６に密着させた固定用伸縮皮膚保護テープ７の上紙のシールを剥がし鍔６の尿と空気が通る開口部を女性の外性器の尿道口１０膣口１２及び大陰唇１３膣前庭１４と陰核１５の全体を覆うように装着状態を示す正面詳細図である。
【００２０】  以上のような本体の一体式構造であればカテーテル管の使用時の痛みやトラブル（合併症）の心配もなく、紙おむつの使用時の臭いやごわついた不快感もなくなり、ゴミの量も軽減できる使用効果を発揮するものである。
【符号の説明】
【００２１】１    本体
２    蛇腹
３    パイプ
４    リム
５    蓋
６    鍔
７    固定用伸縮皮膚保護テープ
８    膀胱
９    外括約筋
１０  尿道口
１１  尿道
１２  膣口
１３  大陰唇
１４  膣前庭
１５  陰核
【図１】
2017086835.tif 000003
【図２】
2017086835.tif 000004
【図３】
2017086835.tif 000005
【図４】
2017086835.tif 000006
【図５】
2017086835.tif 000007
【図６】
2017086835.tif 000008
【図７】
2017086835.tif 000009
【図８】
2017086835.tif 000010
【図９】
2017086835.tif 000011
【図１０】
2017086835.tif 000012
【図１１】
2017086835.tif 000013
(57)【要約】【課題】磁弁密着式脱臭．装置，人感．センサ．作動従来の洋式、便座に脱臭装置付ていても臭が有り次に入る。人が間お。をかなければ入れなかったが今どの便座は。臭がしない【解決手段】洋式、便座早く排出１００％今までの便座は便器便座が７ｍｍほど間があいていたので、この密着便座はすき間なしにしてこの密着便座は早く排出１００％です．磁石の反発利用で開閉をし磁弁、装置、て排出するので大臭も小臭も解決し外の吸引機で排出します【選択図】図２
2017086827.tif 000002
【特許請求の範囲】
【請求項１】
この便座は便器便座密着密閉式、磁石の反発利用で開閉をしての磁弁装置です。
【発明の詳細な説明】
【技術分野】
【０００１】  本発明は、一般洋式便座において脱臭１００パーセントの機能を設けた便座に関するものである。
【背景技術】
【０００２】  従来の一般家庭の洋式便座の脱臭装置では十分な脱臭がなされずに間をおかなければ入れないケースがありました。【０００３】  今までの便座は脱臭装置を付けていても臭いがありましたが、本発明は臭いがしない密着型の便座です。便器内の臭いもトイレの中の換気もできます。
この密着便序は次のとうりです。従来の便座は便器と便座に７ミリ程の隙間が空いていたので、この隙間をビニールカバーでふさぎ解決しました。【０００４】  磁石の反発を利用して、磁弁装置を開閉し大小臭を排出するのでこの密着便座は、隙間をなくし便座の横から排気する装置です。
吸引機は、パイプの横では排気量が半減するので外部末端につけなければなりません。この排気ホースは３０ミリから４０ミリで排出する。【０００５】  この便座は密着式で、早く臭気を排出する形です。磁石の反発を利用して開閉する磁弁装置です。
【図面の簡単な説明】
【０００６】
【図１】  この便座を上げると、磁弁装置が働き臭気はＡ小臭口に入り、Ｂ磁弁を通りＣ→Ｄ→外の順に、吸引機で排出します。
【図２】  この密着便座は、隙間をなくして臭いを早く１００％で排出して便座の横から排出する。排気ホースは３０ミリから４０ミリで排出する。Ｆ：クッションは隙間ふさぎです。
【図３】  トイレシステムは窓を閉めて吸気吸入口は、１００ミリがよいでしょう。吸入口内に香りを入れるとよいでしょう。吸入口は廊下面の上方向がよいでしょう。廊下や部屋の換気になります。
【図４】  排気１００％なので介護用便器は軽いプラスチック製とするとお広間でも使用できます。排気ホースは外に掃除機を兼用するとよいでしょう。Ｄ→電気掃除機  Ｇ：スイッチです。
【図１】
2017086827.tif 000003
【図２】
2017086827.tif 000004
【図３】
2017086827.tif 000005
【図４】
2017086827.tif 000006
【手続補正書】
【提出日】平成28年12月7日(2016.12.7)
【手続補正２】
【補正対象書類名】特許請求の範囲
【補正対象項目名】全文
【補正方法】変更
【補正の内容】
【特許請求の範囲】
【請求項１】
下部に小臭口を開孔した中空便座と、便座の側方に接続された排気ホースと便座の下部を切り欠いて開閉可能にした弁機構と便座内の弁機構に互に反発する位置に配置した磁石とを設置した便座の脱臭装置であって便座を上げた時に弁は閉じており小臭口に臭気が入り、臭気は排気ホースから排出し便座の下をビニールカバーで塞ぎ便座を下げると便座周りが完全密閉となり弁の出張りが便器に押されて弁が開き、便器内の臭気は弁を通り排気ホースから排出する便座の脱臭装置
(57)【要約】【課題】ナフキンで弁当を包むと四隅がしわになり、形が変形して敷ずらかった。そのため、弁当箱の大きさに合った巾着を用意し、その中に弁当とナフキンを入れていた。本発明は、ナフキンで包めつつ、巾着の役割をするものを提供する。【解決手段】円形の生地端１に紐を通す輪２を設け、紐３を円形に沿うように１本通し結び目にループエンド４を１個、対面に１個のループエンドを設けることにより、２個のループエンドを手繰り寄せると弁当箱５を包み込み巾着に、紐をほどくとナフキンになることを特徴とするナフキン兼用巾着。【選択図】図１
2017086845.tif 000002
【特許請求の範囲】
【請求項１】
円形の生地の外周に紐を通す輪を等間隔に複数設けて縫い付け、紐は円形の生地に沿うように通し紐の両端の結び目にループエンドをつけたナフキン兼用巾着。
【発明の詳細な説明】
【技術分野】
【０００１】  本発明は、弁当時に敷くナフキンとそれを入れる巾着に関するものである。
【背景技術】  ナフキンで弁当を包むと四隅がしわになり、形が変形して敷ずらかった。そのため、弁当箱の大きさに合った巾着を用意し、その中に弁当とナフキンを入れていた。
なお、ランチクロスに手提げを付けて四隅を縛るものが特許文献１で知られている。【０００２】
【先行技術文献】
【特許文献】
【０００３】
【特許文献１】  実登第３１８３３１２号公報
【発明の概要】
【発明が解決しようとする課題】
【０００４】  ナフキンで弁当を包むと四隅がしわになり、ナフキンの形が変形して敷ずらく、見た目にも良くなく困っていた。
本発明は、以上の問題点を解決するためになされたものである。
【発明を解決するための手段】
【０００５】  ナフキンの形を円形にし、円形の端部分に紐を通す輪を設け、輪に１本紐を通し結び目にループエンドを１個、対面にループエンドを１個設ける。
以上の構成によりなるナフキン兼用巾着。
【発明の効果】
【０００６】  ナフキンの形を円形にすることで四隅が無くなり、しわにならなくなる。従来ナフキンと巾着を用意していたが、本発明によりナフキン兼用巾着１枚の用意で済むようになる。
【図面の簡単な説明】
【０００７】
【図１】本発明の正面図
【図２】本発明の使用状態を示す斜視図
【図３】弁当箱を本発明で包んだ状態を示す斜視図
【発明を実施するための形態】
【０００８】    以下、本発明の実施の形態を説明する。
（イ）円形の生地（１）２枚を合わせ、間の外周に紐（３）を通す輪（２）を等間隔に複数設け縫い付ける。
（ロ）紐を通す輪（２）に紐（３）を通し、紐（３）の両端の結び目に紐（３）を持ち上げやすくする為のループエンド（４）を設ける。
（ハ）円形の生地を２枚合わせ縫い付けることにより、適度に丈夫になり生地を引き寄せる方向が放射状になっているため開閉しても変形しないので敷ずらくない。
本発明は以上のような構造である。
本発明を使用するときは、図２に示すように円形の生地（１）の中央に弁当箱（５）を置き、円形の生地（１）の紐を通す輪（２）に通した紐（３）のループエンド（４）を持ち上げると、各紐を通す輪（２）に通した紐（３）が引き寄せられて円形の生地（１）が弁当箱（５）を包み込み袋状になる。最後に、引き寄せた紐（３）は結んでおく。
【符号の説明】
【０００９】  １  円形の生地、２  紐を通す輪、３  紐、４  ループエンド、５  弁当箱
【図１】
2017086845.tif 000003
【図２】
2017086845.tif 000004
【図３】
2017086845.tif 000005
(57)【要約】      （修正有）【課題】通常のハンガーは洗濯物を干した時ほぼ２次元に近い状態であり、早く乾かせる為には適していない。【解決手段】洗濯物を干した状態で三次元になるように、２個の同じハンガーを連結使用する。前記連結は、例えばハンガー本体１の下の部分に連結凹部２を設け、下側となるハンガーのフック３をここに掛け、上から見て十字の形になるよう組み合わせる。【選択図】図４
2017086724.tif 000002
【特許請求の範囲】
【請求項１】
洗濯物をより早く乾燥させるためのハンガーで、干した状態で三次元になるように、２個の同じハンガーを連結使用して洗濯物を三次元の状態にすることを特徴とする連結速乾型ハンガー。
【請求項２】
ハンガーの下の部分に凹部を設けるだけで、二つのハンガーを組み合わせ十字状にして、洗濯物を三次元の状態に干すことが出来ることを特徴とする連結速乾型ハンガー。
【発明の詳細な説明】
【技術分野】
【０００１】
本発明は家庭で衣料等の洗濯ものを乾かす場合に使用するハンガーに関するもの。
【背景技術】
【０００２】
洗濯物のハンガーは数多くみられるが、乾燥機等の商品が出てきているためか、数十年前とほとんど変わりはない。
【先行技術文献】
【特許文献】
【０００３】
【特許文献１】特開２０１３−１８８３４４
【特許文献２】実登３１４０１２２
【特許文献３】実登３１３４５４４
【発明の概要】
【発明が解決しようとする課題】
【０００４】
通常のハンガーは干した時ほぼ２次元に近い状態であり、早く乾かせる為には適していない。これをなんとかして解決したい。
【課題を解決するための手段】
【０００５】
本発明は、上記課題を解決するために、干した状態で三次元になるように、２個の同じハンガーを使用して三次元の状態にする。  
【０００６】
ハンガーの下の部分に凹部を設け、二つ目のハンガーの掛ける部分をここに掛ける。  
【０００７】
そして、上側のハンガーと下側のハンガーで上から見て十字の形を作る。これにより洗濯物はハンガーに掛けられた時点で三次元の状態になり、乾燥しやすくなる。
【発明の効果】
【０００８】
本発明の連結乾燥型ハンガーを使用することにより、三次元の状態になり、乾燥しやすくなる。  
【０００９】
又、連結の必要がない時は通常のハンガーとして使用可能。
【図面の簡単な説明】
【００１０】
【図１】図１は本発明の正面図単体を示す。
【図２】図２は本発明の連結状態の正面図を示す。
【図３】図３は本発明を上から見た図を示す。
【図４】図４は本発明の使用例を示す。
【発明を実施するための形態】
【００１１】
本発明の実施形態を図１〜図４に基づいて説明する。  
【００１２】
図１は本発明の正面図単体で通常のハンガーとほとんど変わりがないことを示す。  
【００１３】
図２は本発明の連結状態の正面図で三次元のもとになっていることを示す。  
【００１４】
図３は本発明を上から見た図を示し、洗濯物が広がる事がイメージできる。
【００１５】
図４は本発明の使用例を示し、早期乾燥状態にあることが確認できる。
【実施例１】
【００１６】
図４は、本発明の使用例を示す。
【産業上の利用可能性】
【００１７】
現在、一般家庭で使用されているハンガーは洗濯物を干した状態で二次元になっているので、乾きにくい。しかしこれを本発明の連結乾燥型ハンガーを使用し、三次元状態にすることが可能となり、乾燥しやすくなる。
【符号の説明】
【００１８】
１  ハンガー本体２  連結凹部３  フック
【図１】
2017086724.tif 000003
【図２】
2017086724.tif 000004
【図３】
2017086724.tif 000005
【図４】
2017086724.tif 000006
(57)【要約】【課題】表面の凹凸をなくす。【解決手段】本発明は、弾性を有するマット地の、土踏まずの位置と、足指の付け根の位置に埋め込み孔を穿設し、当該埋め込み孔にマット地の上面と面一になるように踏み棒を埋め込んだ構成となっている。これによって、不使用時は踏み棒と面一になっており、上記マット地に人が乗ると、当該人の足の踵部と腹部に対応するマット地の部分は体重の重みで自然に沈み、棒材の部分がマットの表面に突出することになり、足踏み健康器具として機能することになる。【選択図】  図１
2017086323.tif 000002
【特許請求の範囲】
【請求項１】
弾性を有するマット地と、
前記マット地に足を乗せたときに土踏まずの位置と、足指の付け根の位置に穿設した、埋め込み孔と、
前記埋め込み孔にマット地の上面と面一になるように埋め込んだ踏み棒と、
を備えたことを特徴とする健康器具。
【発明の詳細な説明】
【技術分野】
【０００１】
本発明は健康器具に関し、特に足踏み健康器具に関するものである。
【背景技術】
【０００２】
足踏み健康器具は、床面に半円形の竹等を置き、その上に人が乗って足の土踏まずの部分にあて、足踏みすることによって、健康を保つとするものである。
【０００３】
この種健康器具には、単純に半円形の竹等を利用すること、特開平０８−２４３０６号公報に開示するように表面に多数の突起を埋め込んだマットを利用すること、特開２００７−６８９２６号公報に開示するように、表面に多数の突起を埋め込んだ半円形の部材を利用すること、特開２００７−２２９２８８号広報に開示するように、弾性を有するマットを使用すること等が一般的である。
【先行技術文献】
【特許文献】
【０００４】
【特許文献１】特開平０８−２４３０６号公報
【特許文献２】特開２００７−６８９２６号公報
【特許文献３】特開２００７−２２９２８８号公報
【発明の概要】
【発明が解決しようとする課題】
【０００５】
上記足踏み健康器具は、可搬式の器具になっており、半円形の部材を利用した構成、あるいは多数の突起を利用する構成の場合は、前記半円形の部材や突起が器具の上面から突出して、はなはだしく美観を損ねることになる。また、弾性を備えたマットを使用する場合は、足ふみ効果をマットの持つ弾性のみに頼ることになりはなはだ効果の小さいものとなっていた。
【０００６】
本発明は上記従来の事情に鑑みて提案されたものであって、器具の上面に半円形部分や突起が突出しないでかつ、効果の大きな足踏み健康器具を提供するものである。
【課題を解決するための手段】
【０００７】
本発明は、弾性を有するマット地の、土踏まずの位置と、足指の付け根の位置に埋め込み孔を穿設し、当該埋め込み孔にマット地の上面と面一になるように踏み棒を埋め込んだ構成となっている。
【発明の効果】
【０００８】
上記マット地は弾性を有しているので、不使用時は踏み棒と面一になっている。上記マット地に人が乗ると、当該人の足の踵部と腹部に対応するマット地の部分は体重の重みで自然に沈み、棒材の部分がマットの表面に突出することになり、足踏み健康器具として機能することになる。マット地を床に埋め込む構造にすることによって、床面との高さの整合性が確保できることになる。
【図面の簡単な説明】
【０００９】
【図１】本発明の分解斜視図である。
【発明を実施するための形態】
【００１０】
図１は可搬式の本発明分解斜視図である。
【００１１】
底面材１１と当該底面材１１の周囲に立ち上げられた所定深さの側枠１２とより、両足を乗せたときの大きさ以上の大きさを持つ枠体１０を構成する。次いで、前記底面材１１と側枠１２で形成された方形の凹部の大きさに符合する弾性を有するマット地２０を用意する。当該マット地２０には、人が乗ったとき、足裏の土踏まずに対応する位置に踏み棒３１が入る埋め込み孔２１が設けられる。更に、前記マット地２０の足親指の付け根の窪みに対応する位置に踏み棒３２が入る埋め込み孔２２を設ける。
【００１２】
前記踏み棒３１、３２は上面が周方向に円形に湾曲し、その状態は軸方向全幅に渡っている。尚踏み棒３２は親指の付け根に窪みに符合する太さであり、土踏まずに対応する踏み棒３１に比して幅方向に細くなっている。但し、いずれの踏み棒３１、３２も高さは前記マット地２０の高さに対応する。また、底面は前記底面材１１以上で安定するように平面になっている。
【００１３】
このような形状の踏み棒３１を埋め込み孔２１に、また、踏み棒３２を埋め込み孔２２に嵌めこむ。これによって、踏み棒３１、踏み棒３２の高さは、マット地２０の高さと同じになっているので、マット地２０の上面は平面を維持した構成となる。
【００１４】
上記の構成の、足踏み健康器具の上に人がのると、踵部分と、土踏まず先端から指の付け根後端に至る腹の部分に身体の重みがかかり、その部分でマット地２０が圧縮されて沈むことになり、自然に土踏まずと、親指の付け根が踏み棒３１、３２に当たるようになる。これによって、足踏み健康法を実行することが出来ることになる。
【００１５】
また、当該人がマット地２０から降りると、マット地２０は弾性によって、もとの平面に戻り踏み棒３１、３２を埋め込み孔２１、埋め込み孔２２に隠すことになる。これによって、マット地２０は平面性を保ち、目障り感を生じさせないことになる。
【００１６】
上記では、本願発明の足踏み健康器具を可搬式にした場合を記述したが、本願発明は、床面に埋め込む構造にしてもよい。すなわち、前記枠体１０の中央の凹部相当する凹部を床の一部を切り取って形成する。この凹部に前記埋め込み孔２１、２２を穿設したマット地２０をはめ込むとともに、踏み棒３１、３２を前記埋め込み孔２１、２２に嵌め込んでおく。これによって、床面とマット地２０の面が面一になり、例えば、台所の人の立つ位置にこの足踏み健康器具を設置したとしても、台所作業に支障を来たすことがなく足踏みをすることができることになる。
【００１７】
上記において、左右の足が同時に乗る大きさとしたが、片足に対応する大きさのマット地２０を左右に少し開いて、配設してもよいことはもちろんである。
【産業上の利用可能性】
【００１８】
本発明は単に健康器具というだけでなく、人の健康を保つ床構造にも関わっており、産業上の利用可能性は高いといえる。
【符号の説明】
【００１９】
１０・・枠体
１１・・床面材
１２・・側枠
２０・・マット地
２１、２２・・埋め込み孔
３１、３２・・踏み棒
【図１】
2017086323.tif 000003
(57)【要約】【課題】従来はスーパーなどで重たいペットボトルを買い，持ち帰る手間や労力が大きく，高齢者等の負担となっていた．そこで，ディスペンサーに増減設や接続アタッチメントを取り付けることで，多種な清涼飲料水を多様な場所で提供することが可能となった．【解決手段】ディスペンサー（１）の横部に増減設機構を設け，接続アタッチメント（３）を接続可能にした．これにより様々な場所で，多種な清涼飲料水を提供することはが可能となった．【選択図】図１
2017086049.tif 000002
【特許請求の範囲】
【請求項１】
ディスペンサーの接続アタッチメントにより多様な場所，多種の清涼飲料水の利用を可能とした多目的リキッドアンドパウダーディスペンサー．
【発明の詳細な説明】
【技術分野】
【０００１】
この発明は，多様な場所での飲料の提供を目的としたものである。
【背景技術】
【０００２】
【先行技術文献】
【非特許文献】
【０００３】
【発明の概要】
【発明が解決しようとする課題】
【０００４】
従来，お茶やジュース等の清涼飲料水を消費者が購入する場合，相応の労力を必要とされ，高齢者等の負担となっていた．
【課題を解決するための手段】
【０００５】
本発明は濃縮された清涼飲料水のリキッドやパウダーをディスペンサーに装着することにより，多様な清涼飲料水を様々な場所で手軽に常飲できるように発明された．
【発明の効果】
【０００６】
一世帯平均年間約１４３０万リットルの清涼飲料水の消費のあるなか本発明は濃縮リキッドやパウダーを用いることにより，２０分の１以下の重さや質量を可能にし，これをディスペンサーにより家庭内の様々な場所で常飲できる．また，ディスペンサー部分は増減設が可能であり任意で清涼飲料水の種類を加減することができる．このディスペンサーは，ディスペンサー増減アタッチメント部を利用し，床置，吊り下げ，吊りかけ，卓上，はりつけとアタッチメント部の交換により設置場所の多様化を可能にしている．
【図面の簡単な説明】
【０００７】
【図１】図１は本発明のディスペンサー部の斜視図である．
【図２】図２は本発明の連結部分の斜視図である．
【発明を実施するための形態】
【０００８】
以下，本発明を実施するための形態について説明する．ディスペンサーBOX（図１）の横部，増減設アタッチメントによりディスペンサーを増設および減設しディスペンサー下部（図１−２）の取水部よりドリンクリッキドおよびドリンクパウダーを搾取する．ディスペンサーBOXは連結アームに各種設置アタッチメントを取り付けることにより，多様な場所への設置を可能とする．
【符号の説明】
【０００９】
１    ディスペンサー接続アタッチメント
２    取水部
３    幅調整伸縮部
【図１】
2017086049.tif 000003
【図２】
2017086049.tif 000004
(57)【要約】      （修正有）【課題】フランス料理やほかの国の料理を自分の家で料理する際に、お肉や野菜を焼いたり、煮たりするだけで手間をかけずに簡単に、かつ、値段をかけないで料理するための方法の提供。【解決手段】フランス料理屋のシェフとドレッシングの会社とコラボして、フランス料理のソースをドレッシングみたいにした家庭用ソース製品を開発する。フランス料理だけでなくほかの国のソースもドレッシングみたいにした家庭用ソース製品を開発する。【選択図】なし【特許請求の範囲】
【請求項１】
フランス料理のソースをドレッシングみたいにして、家庭でも食べれるようにする。
【請求項２】
フランス料理だけでなくほかの国のソースもドレッシングみたいにする。
【発明の詳細な説明】
【技術分野】
【０００１】  本発明はフランス料理のソースをドレッシングみたいにして、家庭でも食べれるようにするものである。
【背景技術】
【０００２】  フランス料理は自分の家で料理するのも大変だし、お値段もかかる。でも、ソースをドレッシングみたいにしたら、お肉や野菜を焼いたり、煮たりするだけで簡単に料理できます。レパートリーも増えます。フランス料理屋とコラボしてソースを作るとそのフランス料理屋も口に合えばクリスマスとかに行くだろう。
【先行技術文献】
【非特許文献】
【０００３】
【非特許文献１】  ｈｔｔｐ：／／ｍａｔｏｍｅ．ｎａｖｅｒ．ｊｐ／ｏｄａｉ／２１４２３４７０８５１６１５６２９０１
【発明の概要】
【発明が解決しようとする課題】
【０００４】  冷蔵庫で賞味期限はどれぐらいか、もたせるにはどうするか。
【課題を解決するための手段】
【０００５】  フランス料理屋のシェフとドレッシングの会社とコラボして作りたいと思います。
【発明の効果】
【０００６】  そうすれば、いろいろなお客様に喜んでいただけます。フランス料理屋の紹介にもなるし、マーケットを増やすことできます。
(57)【要約】【課題】プランターに立てる支え棒が倒れないように固定具を提供する。【解決手段】  一対の固定具（９）を支え棒固定用管（７）の両端で連結し、固定具（９）の中心をずらして設けたことを特徴とした支柱固定具。【選択図】図１
2017086051.tif 000002
【特許請求の範囲】
【請求項１】
一対の固定具（９）を支え棒固定用管（７）の両端で連結し、固定具（９）の中心をずらして設けたことを特徴とした支柱固定具。
【発明の詳細な説明】
【技術分野】
【０００１】本発明は、浅型のプランターに植えた植物が倒れないようにする支え棒に関するものである。
【背景技術】
【０００２】市販の浅型のプランターは土が少なくて済むが、背が高くなる植物を植える際倒れないように支え棒が必要である。その支え棒をしっかり固定する。
【先行技術文献】
【特許文献】
【０００３】
【特許文献１】特開２０１２−１８３０４１
【特許文献２】特開２０１０−２６３８７５
【発明の概要】
【発明が解決しようとする課題】
【０００４】市販の浅型のプランターに背が高くなる植物を植えたい。そのためには支え棒を立てる必要があるが、浅型で土の少ないところに支え棒を立てればすぐ倒れてしまう。
【課題を解決するための手段】
【０００５】プランターの横長の両端にワンタッチで取り付けられるビニールパイプ製のはめ込み具体を作り、この左右のはめ込み具体の間をビニールパイプでつなぎ、このパイプに何箇所か孔を開け、この孔に市販の支え棒を通し、プランターの土に差し込む。
そのプランターにはめ込む具体の作り方によっては、しっかり止まらないことがあるが、それを解決するため、下記方法をとる。
（イ）プランターの片方にはめ込んだ部材ともう一方にはめ込む部材とをビニールパイプでつなぐ長さを少し短めにした。
（ロ）プランターの両端にはめ込む具体は、プランターの横幅より少し小さめにしたが、ワンタッチにて取り付け、取り外しが出来る。
【発明の効果】
【０００６】市販のプランターにおいて下記の効果がある。
１．  浅型で土が少なくても支え棒が立てられる。
２．  背丈の高い植物でも支え棒がしっかりしているので植えられる。
３．  つる性（きゅうり等）でも大丈夫。
４．  長さ約３ｍ位の支え棒でも台風の際にも倒れない。
５．  マンションのベランダでも背の高い植物を育てられる。
６．  具体は、鉄製でないので水がかかっても錆びない。
７．  軽いので持ち運び易い。
【図面の簡単な説明】
【０００７】
【図１】  本発明の全斜視図である。
【図２】  本発明の使用説明図である。
【発明を実施するための形態】
【０００８】  以下、本発明の実施の形態について説明する。
（イ）本発明のうち支え棒を立てる部品Ｔ型つなぎ管（６）を中心に左右同一の部材を設け、まず左の部品の上腕管（１）と（２）をＴ型つなぎ管（６）の両側に差し込む。
（ロ）上腕管（１）と（２）はわずか長さを違えてあり、支え棒固定用管（７）がプランターの中心にこないようにする。
一対の固定具（９）を支え棒固定用管（７）の両端で連結し、固定具（９）の中心をずらして設けたことが特徴である。
（ハ）一般的にプランターの中心に植物を植えることが多いので、この植物と支え棒固定用管（７）とが重なってしまうと支え棒を土に挿した際に植物の根に傷をつける恐れがあるので、プランターの幅方向に架かる支え棒固定用管（７）を中心ではなく、少々ずらして位置取りしてあるのが特徴である。
（ニ）固定具（９）は、上腕管（１）（２）と下腕管（３）を同一のスペーサーを止めねじで固定したものである。
（ホ）左側の部材が出来たら、同じ作り方で右側の部材を作る。
（ヘ）左右同型の部材をつないで一体化するため、プランターの横の長さに合った寸法の支え棒固定用ビニール管（７）を接着固定する。
（ト）支え棒を差し込める孔（８）を支え棒固定用管（７）にあける。
（チ）具体をプランターの長手両端にワンタッチで挿し込むようにはめる。
（リ）材質は、スペーサー、止めねじを除きビニールパイプを使用する。
本発明は以上のような構成である。
本発明を使用するときは、先ずプランターに植物を植え、作った具体を植物を傷つけないようにプランターの両端にワンタッチではめ込み、支え棒固定用管（７）の孔（８）に市販の支え棒を差し込み、その棒にビニールひも等で括りつけると本発明が出来上がる。
この本発明を使用したところ、きゅうり、トマトを３ｍの高さまで育てることが出来、２０１５年９月の台風にも耐えられた。
【符号の説明】
【０００９】  １  上腕管
２  上腕管
３  下腕管
４  スペーサー
５  止めねじ
６  Ｔ型つなぎ管
７  支え棒固定用管
８  支え棒通し孔
９  固定具
１０  支え棒
１１  市販のプランター
【図１】
2017086051.tif 000003
【図２】
2017086051.tif 000004